(57)【要約】【課題】  引き違いのアルミサッシを開けるとき、特に高気密化したアルミサッシでは機密性を高めるために窓枠にゴムを取り付けているため、開け始めに特に力が必要であるので、これを少ない力で容易に開けることができ、さらに、障害者でもあっても簡単に開け閉めが出来る補助具である。【解決手段】本体１は上方の直線場の細長い棒状体１１とこの棒状体１１の下方の右または左側に湾曲をもった略楕円形状ないし下方のふくれた半卵形状の板状態１２から成り、この板状体１２の中心より棒状体１１の方向にずれた位置に本体を回転させる軸３が板状体１２に対し垂直に設けられていて、この軸３の一方には板状体１２に平行した押え板２が取り付けられていて、この軸３の一方には板状体１２に平行した押え板２が、反対側にはスペーサ４を介して基台５がそれぞれ取り付けられていて、引き違い戸を少ない力で容易に開けることが出来る。【選択図】  図２
2008169687.tif 000002
【特許請求の範囲】
【請求項１】
本体（１）は上方の直線状の細長い棒状体（１１）とこの棒状体（１１）の下方の右または左側に湾曲をもった略半楕円形状ないし下方にふくれた半卵形状の板状体（１２）から成り、この板状体（１２）の中心より棒状体（１１）の方向にずれた位置に本体を回転させる軸（３）が板状体（１２）に対し垂直に設けられていて、この軸（３）の一方には板状体（１２）に平行した押え板（２）がとりつけられていて、反対側にはスペーサー（４）を介して基台（５）が取り付けられていることを特徴とする引き違い戸を容易に開ける事が出来る装置。
【請求項２】
上記棒状体（１１）の先端が鈎状になされていることを特徴とする請求項１記載の引き違い戸を容易に開ける事が出来る装置。
【請求項３】
上記軸（３）にV字状切り欠き（３２）が設けられていて、このV字状切り欠き（３２）にバネ（６）をはめ込むことによって本体（１）が自動的にもとに戻ることを特徴とする請求項１または２記載の引き違い戸を容易に開ける事が出来る装置。
【請求項４】
上記板状体（１２）の湾曲していない側で軸（３）の入る穴よりも棒状体に近い位置に凹み（１３）が設けられていることを特徴とする請求項１または２記載の引き違い戸を容易に開ける事が出来る装置。
【発明の詳細な説明】
【技術分野】
【０００１】
本発明は引違い戸を容易に開けるための装置に関するものである。
【背景技術】
【０００２】
住宅等に用いられている出入り口の引き戸や引違い窓は戸の端に指を引っかけるための突起や、桟をつけただけであり、機密性を高めるために窓枠にゴムを取り付けているアルミサッシ等の引き違い戸では開け始めに特に力が必要である。
【０００３】
この改善策として、大きな柔軟材料で出来た取手を吸盤で窓に貼り付ける装置は考案されているが開け始めの力を軽くする事は不足である。
【０００４】
戸を閉めるとき、杖(棒状のもの）で閉めようとすると、すべってしまうことがある。
【特許文献１】特許公開２０００−７３６３１
【発明の開示】
【発明が解決しようとする課題】
【０００５】
解決しようとする本発明は上記問題点を解決するためになされたものであり、機密性を高めるために開けにくくなっている引違い戸を容易に開けられるようにする装置を提供するものである。
【０００６】
解決しようとする本発明は上記問題点を解決するためになされたものであり、戸を閉めるとき杖やリーチャーのような棒状のもので閉めるとき、すべってしまい、閉めることができなくなることを杖やリーチャーのような棒状のもので容易に閉めることができる装置を提供するものである。
【課題を解決するための手段】
【０００７】
請求項１記載の引き違い戸を容易に開ける事が出来る装置（以下本発明１という）は、本体１が上方の直線状の細長い棒状体１１と、この棒状体１１の下方の右または左側に湾曲をもった略半楕円形状ないし下方にふくれた半卵形状の板状体１２から成り、この板状体１２の中心より棒状体１１の方向にずれた位置に本体を回転させる軸３が板状体１２に対し垂直に設けられていて、この軸３の一方には板状体１２に平行した押え板２がとりつけられていて、反対側にはスペーサ４を介して基台５が取り付けられていることを特徴とする。
【０００８】
請求項２記載の引き違い戸を容易に開ける事が出来る装置（以下本発明２という）は上記棒状体１１の先端が鈎状になされていることを特徴とする。
【０００９】
請求項３記載の引き違い戸を容易に開ける事が出来る装置（以下本発明３という）は上記軸３にV字状切り欠き３２が設けられていて、このV字状切り欠き３２にバネ６をはめ込むことによって本体１が自動的にもとに戻ることを特徴とする。
【００１０】
請求項４記載の引き違い戸を容易に開ける事が出来る装置（以下本発明４という）は上記板状体（１２）の湾曲していない側で軸（３）の入る穴よりも棒状体に近い位置に凹み（１３）が設けられていることにより、杖やリーチャーのような棒状のもの（５０）で押して閉める時に、すべらずに戸を押すことが出来ることを特徴とする。
【００１１】
本発明の本体１の材質としてはプラスチック、木、金属等を用いることができる。
本体１の棒状体１１と板状体１２は一体でもよいし、連結していてもよい。
【００１２】
板状体１２の形状としては、右または左側に湾曲をもった略半楕円形状ないし下方にふくれた半卵形状で、その形状としては軸３に対する半径内の周縁の距離が下方に行くほど大きくなる形状が好ましい。
【００１３】
本発明の装置を回転させたときにテコの原理が発現して軽く戸が開けられるためには軸の位置は板状体１２の中心(重心)よりも上方にある事が必要である。これはテコの原理を発現させるためである。
【００１４】
本発明で用いるスペーサ４は様々な引違い戸の取手の厚さに応じて寸法を調節するためのものであり、用いる場所に応じてその厚さを選択する。
【００１５】
基台５は戸のガラスまたは、桟の面に取り付けるためのものであり、従って平面を有するものが好ましく、その基台の平面には両面粘着テープ等を用いてガラス又は桟に取り付けるものである。
【００１６】
バネ６は本体１を自動的にもとの角度に戻すためのものであり、V字状切り欠き３２を設けた軸３にバネ６をはめ込む。このバネは巻バネがよい。
【００１７】
凹み１３は杖やリーチャーのような棒状のもの５０で押して閉める時に、すべらずに戸を押すためのものであり、板状体１２の湾曲していない側で軸よりも棒状体１１に近い位置に設け、この凹み１３は角がない半楕円形状が好ましい。
【発明の効果】
【００１８】
本発明１は上記の構成をしているので、これを引違い戸のガラス面又は桟に両面テープ等を用いて取り付けて、棒状体１１を右又は、左に押せばテコの原理が働いて容易に開けることが出来る。
【００１９】
本発明２は棒状体１１の先端が鈎状になっているので指がかかりやすく、さらに開けやすさが向上する。
【００２０】
本発明３は上記軸３にV字状切り欠き３２が設けられていて、この切り欠きにバネ６をはめ込むことによって本体１が自動的にもとに戻ることが出来る。
【００２１】
本発明４は上記板状体（１２）の湾曲していない側で軸（３）の入る穴よりも棒状体に近い位置に凹み（１３）が設けられていることにより、杖やリーチャーのような棒状のもの５０で押して閉める時に、すべらずに戸を押すことが出来る。
【実施例１】
【００２２】
以下、本発明の実施の一例を図１を用いて説明する。
本体１は厚さ３ｍｍの硬質プラスチック板を用いた。
棒状体１１は長さ１１ｃｍで板状体１２に連続したものとし、その先端の３ｃｍが鈎状に左側に曲がった形状とした。板状体１２は棒状体１１に連続していて下方の左側に湾曲をもった略半楕円形状にし、その寸法としては長さ１０ｃｍで楕円の最大幅を６ｃｍとした。その最大幅６ｃｍは下端から３ｃｍのところとした。
軸３はこの板状体１２の中心(重心)よりも棒状体１１の方向にずれた位置として下端から８ｃｍの位置に直径４ｃｍの同じ材料同じ厚さの円板をその中心がくるようにはめた。
このときの略半楕円形状１２の幅は６ｃｍであってこの位置にしたのは窓を全開にしたときに邪魔になりにくくするためである。
軸３の一方の側には厚さ３ｍｍ、直径４ｃｍの硬質プラスチック板の押さえ板２を取り付けた。
軸３の反対側には厚さが５ｍｍ、直径４ｃｍの硬質プラスチック板のスペーサ４を取り付けた。
このスペーサ４を介して厚さが５ｍｍ、直径４ｃｍの硬質プラスチック板の基台５を取り付けた。基台５の反対側の外表面は平面をなしており、この平面に両面粘着テープを貼り、このテープにより戸のガラス面に貼り付けた。
次に本発明を実際に用いたときの状態を図２〜図６を用いて説明する。
図２は上記した粘着テープの力により戸に付着させた状態を示す。本発明の効果を発現させるために戸の枠７より軸３の中心が６．５ｃｍの位置に取り付けた。
図３は棒状体１１を矢印の方向に押し回すことにより板状体１２が壁８を押し始めて窓を開ける方向に押し始めた図である。この時テコの原理が働き軽い力で押すことが出来る。
図４は図３よりさらに棒状体１１を押した状態であり、枠７と桟８の間に隙間が出来はじめている。サッシ戸等では、気密性を高めるために装着されているゴムパッキンが、密着していても、略半楕円形状の板状体１２と軸３の位置によってテコの作用が発現し少ない力で開けることができる。
図５は図４よりもさらに棒状体１１を押した状態の図であり、図４よりも枠７と桟８との隙間が拡がっている。
図６は図５よりもさらに棒状体１１を押した状態の図であり、ここまで開くと気密性を高めるためのゴムパッキンは完全に離れるので、棒状体１１の鈎状の部分に指等を引っかけて水平方向（矢印の方向）に引くときは軽い力で窓を開けることができる。
【実施例２】
【００２３】
次に本発明の他の一例を図７に沿って説明する。
軸３に中心から約１１０度のV字状の切り欠き３２を入れその中に直径０．６ｍｍのピアノ線を３回巻き約１２０度の角度に両端を広げたバネ６を付け加えた。そしてV字状切り欠き３２と反対側に高さ５ｍｍ幅５ｍｍの突起３３を設けた。そして本体の軸３に合う穴１５に段差１４を約１／４周設けた。そして本体の軸３に合う穴１５に深さ５ｍｍの段差を約１／４周設けた。このような機構のため、本体１は力が加わっていない時は元に戻る。
【００２４】
図８は実施例２を用いて引き違い戸を閉める時の状態を示す図である。
本体１に設けた凹み１３を杖やリーチャーのような棒状のもの５０押せば用意に戸を閉める事が出来る。
【産業上の利用可能性】
【００２５】
高齢者や、身障者が引き違い戸を開けるときに役立つものである。
【図面の簡単な説明】
【００２６】
【図１】本発明の実施例１を示す説明図である。
【図２】上記した粘着テープの力により戸に付着させた状態を示す。
【図３】棒状体１１を矢印の方向に押し始めたときの状態を示す説明図である。
【図４】図３より、さらに棒状体１１を押したときの状態を示す説明図である。
【図５】図４より、さらに棒状体１１を押したときの状態を示す説明図である。
【図６】本発明を実際の引き戸に適用したときの状態を示す説明図である。
【図７】本発明の実施例２を示す説明図である。
【図８】本体を杖等で押して戸を閉めるときの状態を示す説明図である。
【符号の説明】
【００２７】
１  本体
２  押さえ板
３  軸
４  スペーサ
５  基台
６  ばね
７  枠
８  壁
９  ガラス
１１  （直線状の細長い）棒状体
１２  （略半楕円形状の）板状体
１３  凹み
１４  段差
１５  軸３に合う穴
３２  Ｖ字状切り欠き
３３  突起
５０  杖やリーチャーのような棒状のもの
【図１】
2008169687.tif 000003
【図２】
2008169687.tif 000004
【図３】
2008169687.tif 000005
【図４】
2008169687.tif 000006
【図５】
2008169687.tif 000007
【図６】
2008169687.tif 000008
【図７】
2008169687.tif 000009
【図８】
2008169687.tif 000010